(57)【要約】【課題】既存の一般白熱電球に代替が可能な口金付ランプと電気接続が可能であるが、既存の白熱電球とは電気接続ができない受金およびこの受金に装着される口金を構成し、白熱電球の装着による諸問題を解消することが可能な照明器具を提供する。【解決手段】ねじ込み形の受金１０は、円筒状のねじ部１１、受コンタクト部１２、凸部１３を具備し、円筒状のねじ部１１は、内周面の少なくとも一部に導電性の金属１１ａを有する。受コンタクト部１２は、ねじ部の底部１１ｂに前記導電性の金属と電気絶縁されて設けられる。凸部１３は、ねじ部の底部にねじ部内に突出して形成される。【選択図】        図１
2012128963.tif 000002
【特許請求の範囲】
【請求項１】
内周面の少なくとも一部に導電性の金属を有する円筒状のねじ部と；
ねじ部の底部に前記導電性の金属と電気絶縁されて設けられる受コンタクト部と；
ねじ部の底部にねじ部内に突出して形成される凸部と；
を具備していることを特徴とするねじ込み形の受金。
【請求項２】
請求項１に記載のねじ込み形の受金に装着可能であり、受金の導電性の金属に電気接続される導電性の金属を有する円筒状のシェル部と；
シェル部の底部にシェル部の導電性の金属と電気絶縁されて設けられる口金コンタクト部と；
シェル部の底部に形成され、口金コンタクト部が請求項１に記載の受コンタクト部に接触が可能になるようにねじ込み形の受金の凸部を受容する凹部と；
を具備していることを特徴とする口金。
【請求項３】
請求項１に記載のねじ込み形の受金が設けられる器具本体と；
器具本体の受金に装着される請求項２に記載の口金を有し、固体発光素子を光源とする口金付ランプと；
を具備していることを特徴とする照明器具。
【発明の詳細な説明】
【技術分野】
【０００１】
本発明の実施形態は、特定の口金のみ電気接続が可能な受金、この受金に装着される口金およびこれらの受金、口金を用いた照明器具に関する。
【背景技術】
【０００２】
近年、固体発光素子、例えば発光ダイオード（以下「ＬＥＤ」と称する）は、その発光効率の向上により、一般照明用の光源として採用したＬＥＤランプ等の口金付ランプが商品化されている。この種の口金付ランプは、省エネや長寿命化の観点から、既存の白熱電球に代替が可能になるように、一般的にはエジソンタイプのＥ形の口金が用いられている。
【先行技術文献】
【特許文献】
【０００３】
【特許文献１】特開２０１０−２２５５７０号公報
【特許文献２】特開平１１−３４５５１０号公報
【発明の概要】
【発明が解決しようとする課題】
【０００４】
しかしながら、既存の白熱電球に代替が可能であるため、逆に、ＬＥＤ専用器具としたい場合でも、既存の白熱電球の装着が可能で電気接続がなされてしまう。ＬＥＤ電球は、既存の白熱電球より消費電力が低く、発熱量が低くなるために、専用器具であれば器具を小形化するとともに使用する電線類等の構成部品における電流容量や熱的グレードを下げることが可能である。しかし、既存の白熱電球と互換性があるために器具の小形化や熱的グレード等を下げる仕様にできない問題が生じる。一方、ＬＥＤ電球を専用の口金に構成した場合には、既存の白熱電球に代替することができなくなる。
【０００５】
本発明は、上記問題を解決するためになされたもので、既存の一般白熱電球に代替が可能な口金付ランプと電気接続が可能であるが、既存の白熱電球とは電気接続ができないねじ込み形の受金およびこの受金に装着される口金を構成し、白熱電球の装着による諸問題を解消することが可能な照明器具を提供しようとするものである。
【課題を解決するための手段】
【０００６】
実施形態のねじ込み形の受金は、円筒状のねじ部、受コンタクト部、凸部を具備し、円筒状のねじ部は、内周面の少なくとも一部に導電性の金属を有する。受コンタクト部は、ねじ部の底部に前記導電性の金属と電気絶縁されて設けられる。凸部は、ねじ部の底部にねじ部内に突出して形成される。
【発明の効果】
【０００７】
本発明によれば、既存の一般白熱電球に代替が可能な口金付ランプと電気接続が可能であるが、既存の白熱電球とは電気接続ができないねじ込み形の受金およびこの受金に装着される口金を構成し、白熱電球の装着による諸問題を解消することが可能な照明器具を提供することができる。
【図面の簡単な説明】
【０００８】
【図１】実施形態に係るねじ込み形の受金および口金を示し、（ａ）は受金を示す断面図、（ｂ）は口金の断面図。
【図２】同じくねじ込み形の受金に白熱電球の口金を装着した状態を示す断面図。
【図３】同じくねじ込み形の受金に口金付ランプに用いた口金を装着した状態を示す断面図。
【図４】同じく白熱電球用のソケットに口金付ランプに用いた口金を装着した状態を示す断面図。
【図５】同じく口金を用いた口金付ランプの縦断面図。
【図６】同じく口金付ランプを用いた照明器具を概略的に示す断面図。
【図７】同じくねじ込み形の受金の第１の変形例を示す断面図。
【図８】同じくねじ込み形の受金および口金の変形例を示す断面図。
【図９】同じくねじ込み形の受金の第２の変形例を示す断面図。
【発明を実施するための形態】
【０００９】
以下、ねじ込み形の受金、口金および照明器具の実施形態につき、図に従い説明する。
【００１０】
先ず、受金につき説明する。本実施形態の受金は、既存の一般白熱電球に代替が可能な口金付ランプと電気接続が可能であるが、既存の白熱電球とは電気接続ができないねじ込み形の受金を構成するもので、図１（ａ）に示すように、受金１０は、内周面の少なくとも一部に導電性の金属１１ａを有する円筒状のねじ部１１と、ねじ部の底部１１ｂに前記導電性の金属１１ａと電気絶縁されて設けられる受コンタクト部１２と、ねじ部１１の底部１１ｂにねじ部１１内に突出して形成される凸部１３で構成する。
【００１１】
ねじ部１１は、導電性を有する金属、本実施形態では銅板からなり、内周面の少なくとも一部に導電性の金属１１ａを有する円筒状に構成する。本実施形態では、内周面の全体に導電性の金属としてのねじ山１１ａを形成し、ねじ山１１ａに連続して底部１１ｂを一体に形成した円筒状に構成する。
【００１２】
受コンタクト部１２は、所定の弾性を有し、導電性の良好な金属、本実施形態ではリン青銅板からなり、ねじ部１１の底部１１ｂに絶縁体１２ａを介し、導電性の金属としてのねじ山１１ａと電気絶縁が図られて設けられる。
【００１３】
凸部１３は、ねじ部１１の円筒状の側壁と底部１１ｂが交わる角部を、ねじ部１１内方に向けて一体に突出させて形成する。これにより、ねじ部１１の底部１１ｂに、ねじ部１１内に突出した環状の水平面１３ａと垂直面１３ｂからなる凸部１３が一体形成される。水平面１３ａと垂直面１３ｂは、厳密な水平面、垂直面に限らず、略水平な面、略垂直な面であればよい。図中１４は、上記に構成されたねじ込み形の受金１０を収容し、支持するための絶縁ケースで、ＰＢＴ等の合成樹脂で有底の円筒体となるように構成されている。
【００１４】
なお、本実施形態のねじ込み形の受金１０は、ＪＩＳで規定されたＥ２６形受金の寸法を有して構成される。すなわち、ねじ部１１におけるねじ山１１ａ部分の高さ寸法Ｙ、ねじ山１１ａの上端から受コンタクト部１２までの高さ寸法Ｘ、ねじ山１１ａの深さ寸法Ｄ、高さ寸法Ｄ１、ねじ山１１ａの山、谷のｒ寸法、ピッチ寸法は、ＪＩＳで規定されたＥ２６形受金の寸法を有し、Ｅ２６形の口金をねじ込み電気接続ができるように構成されている。換言すれば、ＪＩＳで規定されていない角部を利用して凸部１３を形成しており、全てのＪＩＳ規格を満足することができる。
【００１５】
そして、上記に構成されたねじ込み形の受金１０に対し、図２に示すように、Ｅ２６形の口金を有する白熱電球Ａをねじ部１１にねじ込むと、白熱電球Ａの口金ａ１のベース部ａ２が、受金１０のねじ部１１内に突出した凸部１３の環状の水平面１３ａに当接して、若しくは、口金ａ１のベース部ａ２と口金コンタクトａ３との間のコーナ部分が凸部１３の角部ｃに当接し、それ以上のねじ込みができなくなり、白熱電球Ａの口金コンタクトａ３がねじ込み形の受金１０の受コンタクト部１２に接触することができない。
【００１６】
一般白熱電球の電気接続を阻止する機能は、凸部１３、すなわち、水平面１３ａと垂直面１３ｂであり、その受コンタクト部１２までの高さ寸法ｈ１（水平面１３ａの上面から受コンタクト部１２までの高さ寸法（図２参照））を、一般白熱電球における口金の高さ寸法ｈ２（ベース部ａ２の下面から口金コンタクトａ３の頂点までの高さ寸法（図２参照））より高くすることにより（ｈ１＞ｈ２）、白熱電球Ａの口金コンタクトａ３が、受金１０の受コンタクト部１２に接触することができないように構成している。この寸法ｈ１は、各種のＥ１７やＥ２６形等の口金におけるｈ２寸法を考慮すると、約４ｍｍ以上、好ましくは、４〜６ｍｍ程度がよい。これによれば、器具の小形化を阻害せずに、受コンタクト部１２への接触を阻止することが可能になる。
【００１７】
これにより、本実施形態のねじ込み形の受金１０は、既存の一般白熱電球と電気接続ができないように構成される。同時に、本実施形態の受金１０は、特定の口金、本実施形態では次に説明する既存の一般白熱電球に代替が可能な、固体発光素子を光源とする口金付ランプに用いられる口金２０と電気接続ができる。
【００１８】
次に、口金２０につき説明する。本実施形態の口金は、固体発光素子、本実施形態では、ＬＥＤを光源とする口金付ランプに用いられる口金で、上述した既存の一般白熱電球と電気接続ができないねじ込み形の受金１０と電気接続ができるとともに、既存の一般白熱電球用のソケットとも電気接続ができるもので、図１（ｂ）に示すよう、口金２０は、既存の一般白熱電球に用いられるエジソンタイプの口金、本実施形態では、Ｅ２６形の口金で構成され、上記ねじ込み形の受金１０に装着可能であり、受金１０の導電性の金属、すなわち、ねじ山１１ａに電気接続される導電性の金属２１ａを有する円筒状のシェル部２１と、シェル部２１の底部２１ｂにシェル部２１の導電性の金属２１ａと電気絶縁されて設けられる口金コンタクト部２２と、シェル部２１の底部２１ｂに形成される凹部２３で構成する。
【００１９】
シェル部２１は、導電性を有する金属、本実施形態では銅板からなり、上述したねじ込み形の受金１０の導電性の金属、すなわち、ねじ山１１ａに電気接続される導電性の金属２１ａを有する円筒状に構成する。本実施形態では、ねじ山１１ａに電気接続される導電性の金属としてのねじ山２１ａを外周面に形成し、ねじ山２１ａに連続して底部２１ｂを一体に形成した円筒状に構成する。
【００２０】
口金コンタクト部２２は、シェル部２１の底部２１ｂに絶縁体２２ａを介し、導電性の金属としてのねじ山２１ａと電気絶縁が図られて設けられる。
【００２１】
凹部２３は、シェル部２１の側壁と底部２１ｂが交わる角部を、シェル部内に向けて一体に凹ませて形成する。これにより、シェル部２１の底部２１ｂに、凹んだ環状の水平面２３ａと垂直面２３ｂからなる凹部２３が一体に形成される。水平面２３ａと垂直面１２ｂは、厳密な水平面、垂直面に限らず、略水平な面、略垂直な面であればよい。そして、凹部２３は、口金コンタクト部２２が上記ねじ込み形の受金１０の受コンタクト部１２に接触が可能になるようにねじ込み形の受金１０の凸部１３を受容する。
【００２２】
ねじ込み形の受金１０の凸部１３を受容する機能は、凹部２３、すなわち、水平面２３ａと垂直面２３ｂであり、その凹部２３の深さ寸法ｈ３（水平面２３ａの下面から口金コンタクト部２２の頂点までの高さ寸法（図１（ｂ）参照））を、受金１０の受コンタクト部１２までの高さ寸法ｈ１（水平面１３ａの下面から受コンタクト部１２までの高さ寸法（図１（ａ）参照））と同等、若しくは、深くすることにより（ｈ３≧ｈ１）、口金２０の口金コンタクト部２２が、ねじ込み形の受金１０の受コンタクト部１２に接触することができるように構成している。
【００２３】
この寸法ｈ３は、ねじ込み形の受金１０の受コンタクト部１２までの高さ寸法ｈ１と同様に、約４ｍｍ以上、好ましくは、４〜６ｍｍ程度がよい。これによれば、器具の小形化を阻害せずに、受コンタクト部１２への接触を受容することが可能になる。
【００２４】
なお、本実施形態の口金２０は、ＪＩＳで決められたＥ２６形口金の寸法を有して構成される。すなわち、シェル部２１の高さ寸法Ｙ、底部２１ｂ下面から口金コンタクト部２２までの高さ寸法Ｃ、ねじ山２１ａの深さ寸法ｄ、高さ寸法ｄ１、ねじ山２１ａの山、谷のｒ寸法、ピッチ寸法等は、ＪＩＳで決められたＥ２６形口金の寸法を有して構成され、Ｅ２６形受金にねじ込み電気接続ができるように構成されている。換言すれば、ＪＩＳで規定されていない角部を利用して凹部２３を形成しており、全てのＪＩＳ規格を満足することができる。
【００２５】
そして、図３に示すように、上記構成の口金２０を有するＬＥＤを光源とする口金付ランプ３０を、ねじ込み形の受金１０のねじ部１１にねじ込むと、口金２０の凹部２３の水平面２３ａが、ねじ部１１内に突出した凸部１３の水平面１３ａに当接する前に、口金２０の口金コンタクト部２２がねじ込み形の受金１０の受コンタクト部１２に接触することができる。これにより、本実施形態の口金２０は、既存の一般白熱電球と電気接続ができないねじ込み形の受金１０に装着され、電気接続がなされるように構成される。
【００２６】
同時に、本実施形態の口金２０は、一般白熱電球用のソケットに対しても電気接続ができる。すなわち、図４に示すように、一般白熱電球用のソケットＢは、本実施形態におけるねじ込み形の受金１０と異なり、ねじ部１１内に突出した凸部１３が形成されていない。このためＥ２６形の口金で構成された口金２０は、凸部１３によってねじ込み操作が停止されることなく、白熱電球Ａの口金ａ１と同様にして、口金２０の口金コンタクト部２２が、白熱電球用のソケットＢの受コンタクト部ｂ１に接触させるまでねじ込むことができる。これにより、本実施形態の口金２０は、一般白熱電球用のソケットＢに対しても電気接続ができる。
【００２７】
以上、本実施形態のねじ込み形の受金１０および口金２０によれば、受金１０は、一般白熱電球Ａの口金ａ１と電気接続ができず、口金２０と電気接続が可能となる。換言すれば、ねじ込み形の受金１０は、ＬＥＤを光源とする口金付ランプ３０に用いられる口金の専用のソケットとして構成することができる。そして、これらねじ込み形の受金１０および口金２０を用い、ＬＥＤを光源とする専用の照明器具を構成することによって、発熱量の多い白熱電球の装着による諸問題を解消することが可能となる。
【００２８】
同時に、口金２０、すなわち、ＬＥＤを光源とする口金付ランプ３０に用いられる口金は、白熱電球用のソケットＢとも電気接続ができ、ＬＥＤを光源とする口金付ランプ３０の汎用性を損なうことがない。しかも、上述したように、本実施形態のねじ込み形の受金１０および口金２０は、ＪＩＳ規格を十分に備えた受金および口金として提供することが可能となる。
【００２９】
次に、本実施形態の口金２０を用いた口金付ランプを説明する。本実施形態は、上述したねじ込み形の受金１０と電気接続が可能で、かつ既存の一般白熱電球に代替が可能なＬＥＤを光源とした電球形の口金付ランプを構成するもので、図５に示すように、口金付ランプ３０は、固体発光素子３１を有する発光部３２と、一端部側に発光部を設置する金属製の本体３３と、ランプのグローブを構成するカバー部材３４で構成する。
【００３０】
固体発光素子３１は、本実施形態では発光ダイオード（以下「ＬＥＤ」と称す）で構成し、同一性能を有する青色ＬＥＤチップからなる高輝度・高出力の複数個のＬＥＤからなる。発光部３２は、上記構成のＬＥＤ３１を面状に配設した発光モジュール３２ａと、発光モジュールを配設する基板３２ｂからなる。そして、発光部３２は、上述した青色ＬＥＤチップから放射される青色光を透過させるとともに、青色光を黄色蛍光体によって黄色光に変換する。透過した青色光と黄色光が混光して白色の光を放射する。
【００３１】
本体３３は、熱伝導性の良好な金属、本実施形態ではアルミニウムで構成され、横断面形状が略円形で、一端部側に径の大きな開口部３３ａを、他端部側には径の小さな開口部３３ｂを有する中空の円筒をなす筒状に構成される。本体３３の一端部側の開口部３３ａには、環状の段部からなる基板支持部３３ｃを一体に形成する。基板支持部３３ｃに対して発光部３２が載置され設置される。
【００３２】
そして、本体３３の外周面には、一端部から他端部に向かい本体３３の中心軸線ｘ−ｘを中心として放射状に突出する多数の放熱フィン３３ｅを一体に形成し、外周面が一端部から他端部に向かい順次直径が小さくなる略円錐状のテーパー面をなすようにして、外観が一般白熱電球におけるネック部のシルエットに近似させた形状に構成する。
【００３３】
また、上記に構成された本体３３内には、絶縁ケース３６が収容され、この絶縁ケースの内部に点灯装置３７が収容される。絶縁ケース３６は、電気絶縁性を有する合成樹脂、本実施形態ではＰＢＴ樹脂からなる両端部を開口した円筒状をなす筒体に構成される。筒体の一端部側の開口部３６ａは、発光部３２の基板３２ｂの裏面側に対向するように配設され、点灯装置３７の出力端子に接続された電線ｃが挿通される。筒体の他端部側の開口部３６ｂには、口金支持部３６ｃが一体に形成され、口金支持部の外周面に、上述した凹部２３を形成した口金２０をねじ込むことができるようにネジ部３６ｃ１を一体に形成する。
【００３４】
点灯装置３７は、図５に示すように、各ＬＥＤ３１の点灯回路を構成する回路部品３７ａと、回路部品を実装した回路基板３７ｂからなる。回路基板３７ｂは片面または両面に電子部品からなる回路部品３７ａが実装され、この回路基板３７ｂを縦方向にし、絶縁ケース３６の内面に挿入し嵌め込むことによって、点灯装置３７が絶縁ケース３６の内部に縦方向に収容されて支持される。なお、回路部品３７ａおよび回路基板３７ｂの一部が口金２０のシェル部２１内に収納されているので、これら部品から発生する熱は、銅板製のシェル部２１を介して放熱される。また、回路基板３７ｂの出力端子には電線ｃが接続され、入力端子には口金２０に接続される入力線（図示せず）が接続されている。
【００３５】
上記により、点灯装置３７を収容した絶縁ケース３６は、他端部側に形成された口金支持部３６ｃを下にして、口金支持部３６ｃを本体３３の一端部側の開口部３３ａから挿入し、さらに、他端部側の開口部３３ｂに挿通させて押し込み、本体３３の他端部側から突出させる。そして、回路基板３７ｂの出力端子に接続された電線ｃが、絶縁ケース３６の一端部側の開口部３６ａから導出されて発光部３２を構成するＬＥＤ３１に接続される。
【００３６】
上記のように、絶縁ケース３６の口金支持部３６ｃに対して樹脂リング３５が嵌合された状態で、口金支持部３６ｃの先端部に対して口金２０が装着される。口金２０は、上述したように、エジソンタイプのＥ２６形で構成し、ねじ山２１ａを備えたシェル部２１と、このシェル部の底部２１ｂに絶縁体２２ａを介して設けられたアイレット部からなる口金コンタクト部２２を備え、シェル部２１の底部２１ｂに、凹んだ環状の水平面２３ａと垂直面２３ｂからなる凹部２３を有して構成されている。
【００３７】
そして、本体３３の他端部側から突出された口金支持部３６ｃのネジ部３６ｃ１に対し、シェル部２１の開口部を嵌め込んでねじ山２１ａをねじ込むことによって支持する。これにより、口金２０が本体３３の他端部側に設けられるとともに、アルミニウム製の本体３３と銅板製の口金２０との電気絶縁が図られる。この際、予め回路基板３７ｂの入力端子から導出された入力線が、口金２０のシェル部２１と口金コンタクト部２２に接続される。
【００３８】
図中、３４はランプのグローブを構成するカバー部材で、例えば、厚さが薄いガラスや合成樹脂などの材質で構成され、透明または光拡散性を有する乳白色などの半透明、本実施形態では乳白色のポリカーボネート製で、一端部に開口３４ａを有する一般白熱電球のボウル部分のシルエットに近似させた滑らかな略半球体をなす面に形成する。そして、発光部３２を覆うようにして本体３３の基板支持部３３ｃの段部内に、開口３４ａが嵌め込まれてシリコーン樹脂やエポキシ樹脂等からなる接着剤で固定される。これにより、本体３３の傾斜する外周部が、カバー部材３４の曲面状の外周面に一体的に略連続した外観形状になり、ランプ全体が一般白熱電球のシルエットに近似させた外観形状をなし、ＬＥＤを光源とし、凹部２３を形成した口金２０を有する電球形の口金付ランプ３０が構成される。
【００３９】
以上のように、本実施形態の口金付ランプ３０は、上述した凹部２３を形成した口金２０を有しているので、一般白熱電球と電気接続のできないねじ込み形の凸部１３を形成した受金１０（ＬＥＤを光源とする口金付ランプ専用のソケット）と電気接続ができるとともに、一般白熱電球用のソケットＢに対しても電気接続ができるので、白熱電球と代替が可能な汎用性に富んだ口金付ランプを提供することが可能になる。同時に、本実施形態の口金付ランプ３０は、ＪＩＳ規格を十分に備えた口金を有し、ＪＩＳ規格を十分に備えた口金付ランプを提供することが可能となる。
【００４０】
次に、上記のように構成された電球形の口金付ランプ３０を光源とした照明器具の構成を説明する。図６に示すように、４０は店舗等の天井面Ｘに埋め込み設置されるダウンライト式の照明器具で、下面に開口部４１ａを有する金属製の箱状をなした器具本体４１と、開口部に嵌合される金属製の反射体４２と、上述のねじ込み形の凸部１３を形成した受金１０で構成されている。反射体４２は、例えばステンレス等の金属板で構成し、反射体４２の上面板の中央部にねじ込み形の受金１０が設置される。
【００４１】
上記に構成された照明器具４０において、省エネで長寿命な上述したＬＥＤを光源とする電球形の口金付ランプ３０を装着する。すなわち、電球形の口金付ランプ３０は口金をＥ２６形にした凹部２３を形成した口金２０で構成してあるので、上記照明器具４０のねじ込み形の凸部１３を形成した受金１０にそのまま差し込むことができる。
【００４２】
この際、口金付ランプ３０は、本体３３が略円錐状のテーパー面をなすようにして、外観が一般白熱電球におけるネック部のシルエットに近似させた形状に構成されているので、ネック部がねじ込み形の受金１０周辺の反射体４２等に当たることなくスムーズに差し込むことができる。しかも、口金２０はシェル部２１の底部２１ｂに、凹んだ環状の水平面２３ａと垂直面２３ｂからなる凹部２３を有して構成されているので、口金の先端部に突出するものがなく、ねじ込み形の受金１０周辺の反射体４２等に当たることなく、さらにスムーズに差し込むことができる。
【００４３】
同時に、ねじ込み形の受金１０は上述したように、既存の一般白熱電球Ａの口金ａ１とは電気接続ができないため、ＬＥＤを光源とする電球形の口金付ランプ３０専用の省エネ形で長寿命のダウンライト形の照明器具４０として構成される。
【００４４】
上記に構成された照明器具に電源を投入すると、ねじ込み形の受金１０から口金付ランプ３０に対し、口金２０を介して商用電源が供給され、点灯装置３７が動作して直流電圧が出力される。この直流電圧は点灯装置３７から各ＬＥＤ３１に印加され、定電流の直流電流が供給されて、全てのＬＥＤが同時に点灯して白色の光が放射され所定の照明を行うことができる。
【００４５】
以上のように、本実施形態の照明器具４０は、ＬＥＤを光源とする口金付ランプ３０専用の器具として構成することができ、一般白熱電球とは電気接続ができないため、発熱量の多い白熱電球の装着による諸問題を解消することが可能となる。これにより、発熱量の少ないＬＥＤ光源による器具の小形化、さらにはプラスチック部品、電線や端子台等の構成部品における電流容量や熱的グレードを下げる仕様にすることが可能となり、コスト的にも有利な照明器具を提供することが可能になる。同時に、本実施形態の照明器具に用いるねじ込み形の受金１０は、ＪＩＳ規格を十分に備えたソケットであり、ＪＩＳ規格を十分に備えた照明器具を提供することが可能となる。
【００４６】
また、点灯装置３７の回路部品３７ａから発生する熱は、口金２０の銅板製のシェル部２１からねじ込み形の受金１０の銅板からなるねじ部１１に伝達され、器具本体４１等を介して外部に放熱される。この際、口金２０の凹部２３がねじ込み形の受金１０の凸部１３に合致して嵌合するので、両者の接触面積が増大し回路部品３７ａの熱を効果的に口金２０の凹部２３からねじ込み形の受金１０の凸部１３に対して伝達することができ、一層効果的な放熱を行うことができ、点灯装置３７の信頼性を高めることも可能になる。
【００４７】
以上、本実施形態において、ねじ込み形の受金１０の凸部１３は、ねじ部１１に一体に形成したが別体に形成してもよい。また口金２０の凹部２３は、シェル部２１に一体に形成したが別体に形成してもよい。また、ねじ込み形の受金１０の凸部１３は、図７に示すように、ねじ部１１の底面に一体または別体に形成した環状をなす凸条部１３´で構成してもよい。さらに、多数のピンを環状に配設したものであってもよい。
【００４８】
また、口金２０の凹部２３がねじ込み形の受金１０の凸部１３に合致して嵌合するので、図８に示すように、凹部２３の水平面２３ａと凸部１３の水平面１３ａは、電気接点部２３ａ１、１３ａ１を設けることによって、光源となるＬＥＤ３１の調光用の信号線を接続するための電気接点部を設置するスペースとして利用することも可能になり、さらに機能性を向上させた口金付ランプおよび照明器具を提供することも可能になる。
【００４９】
ねじ込み形の受金１０および口金２０は、一般的に最も普及しているエジソンタイプのＥ２６形やＥ１７形等の受金および口金が好適である。また、材質は、上述したように受金および口金の全体が金属で構成されたものでも、電気的接続部分のみを銅板等の金属で構成し、それ以外の部分を合成樹脂で構成した樹脂製の受金および口金であってもよい。図９に、樹脂製のねじ込み形の受金１０の一例を示す。
【００５０】
この樹脂製のねじ込み形の受金１０は、ねじ部１１をＰＢＴ樹脂等からなる合成樹脂で、ねじ山１１ａを一体に形成し、ねじ部１１の内周面の一部に切欠孔１１ｃを形成する。凸部１３は、ねじ部１１の円筒状の側壁と底部１１ｂが交わる角部を、ねじ部１１内方に向けて一体に突出させて形成する。また、リン青銅板等の金属からなり上端部を逆「く」の字に折り曲げて接触部１１ａ１を形成した接点板１１ａを構成し、接点板１１ａの接触部１１ａ１を、ねじ部１１の切欠孔１１ｃからねじ部１１内に若干突出させるように臨ませて構成する。これにより、ねじ込み形の受金１０が、円筒状のねじ部１１の少なくとも一部、本例においては、内周面の一部に導電性の金属としての接点板１１ａを有するように構成される。
【００５１】
そして、導電性の金属を構成する接点板１１ａは、絶縁ケース１４の底面に受コンタクト部１２と電気絶縁されるように支持される。接点板１１ａは、支持された下端部を支点として上端部の接触部１１ａ１が、図中左右に撓み、接触部１１ａ１が切欠孔１１ｃに対して左右に揺動するように構成される。
【００５２】
上記に構成されたねじ込み形の受金１０は、図３に示されると同様に、ねじ部１１に対して口金２０をねじ込むと、口金２０のねじ山２１ａが、受金１０のねじ部１１に螺合しながら接点板１１ａの接触部１１ａ１を押圧し、左方に撓ませた状態で装着される。これにより、口金２０のシェル部２１と受金１０の接点板１１ａが電気接続される。同時に、図３と同様にして口金２０の口金コンタクト部２２が、受金１０の受コンタクト部１２に電気接続され、電源の両極が受金１０から口金２０に対して接続される。
【００５３】
なお、白熱電球Ａを装着した場合には、白熱電球Ａの口金ａ１と、受金１０の接点板１１ａとは接触するが、図２と同様に、白熱電球Ａの口金コンタクトａ３は、受金１０の受コンタクト部１２とは電気接続はできない。これにより、樹脂製の受金１０は、図１（ａ）に示す金属製の受金１０と同様の機能を有して構成される。
【００５４】
また、本実施形態において、凹部２３を形成した口金２０は、既存の一般白熱電球の形状に近似させて構成した口金付ランプ３０に適用したが、ボウル形（Ｇ形）、円筒形（Ｔ形）、反射形（Ｒ形）などの口金付ランプに適用してもよい。また既存の白熱電球の形状に近似させた口金付ランプに限らず、その他各種の外観形状、用途をなす口金付ランプに適用することができる。
【００５５】
また、口金付ランプ３０に用いた固体発光素子３１は、ＬＥＤに限らず、有機ＥＬまたは半導体レーザなどを発光源とした固体発光素子が許容される。固体発光素子は、白色で発光するように構成することが好ましいが、使用される照明器具の用途に応じ、赤色、青色、緑色等でも、さらには各種の色を組み合わせて構成してもよい。また、発光部３２の形状は、点または面モジュールを構成するために円形、四角形、六角形などの多角形状、さらには楕円形状等をなすものであってもよく、目的とする配光特性を得るための全ての形状が許容される。さらに、本体３３は、熱伝導性の良好なアルミニウムで構成したが、銅（Ｃｕ）、鉄（Ｆｅ）、ニッケル（Ｎｉ）の少なくとも一種を含む金属で形成してもよい。また、本体３３は、アルミダイキャスト製とすることが好適であるが、アルミニウム等の金属板を絞り成形等することにより本体を形成するようにしてもよい。
【００５６】
また、本実施形態において、照明器具４０は、上述したねじ込み形の受金１０と口金２０によって、ＬＥＤを光源とする口金付ランプ専用の器具として構成したが、これに限らず、他の光源専用の器具を構成するようにしてもよい。また、照明器具は、天井直付形、吊下形、壁面取付形、さらには天井埋込形等が許容され、器具本体に制光体としてグローブ、セード、反射体などが取付けられるものであっても、光源となる口金付ランプが露出するものであってもよい。また、器具本体に１個の口金付ランプを取付けたものに限らず、複数個が配設されるものであってもよい。さらに、オフィス等、施設・業務用の大型の照明器具などを構成してもよい。
【００５７】
なお、本実施形態の変形例を示す図７〜図９において、図１〜図６と同一部分に同一の符合を付し、詳細な説明は省略した。以上、本発明の好適な実施形態を説明したが、本発明は上述の実施形態に限定されることなく、本発明の要旨を逸脱しない範囲内において、種々の設計変更を行うことができる。
【符号の説明】
【００５８】
１０  受金
１１  ねじ部
１１ａ  導電性の金属
１１ｂ  底部
１２  受コンタクト部
１３  凸部
２０  口金
２１  シェル部
２１ａ  導電性の金属
２１ｂ  底部
２２  口金コンタクト部
２３  凹部
３０  口金付ランプ
３１  固体発光素子
４０  照明器具
４１  器具本体
【図１】
2012128963.tif 000003
【図２】
2012128963.tif 000004
【図３】
2012128963.tif 000005
【図４】
2012128963.tif 000006
【図５】
2012128963.tif 000007
【図６】
2012128963.tif 000008
【図７】
2012128963.tif 000009
【図８】
2012128963.tif 000010
【図９】
2012128963.tif 000011